(57)【要約】【課題】長尺原稿の後端部が折れることなく搬送可能にすること。【解決手段】下ガイド１４を含む原稿搬送路１２と、原稿搬送路１２に配設された原稿搬送ローラ対１８と、原稿挿入口２２とを備えた画像形成装置。原稿挿入口２２は、下ガイド１４と上ガイド１６ａとからなり、下ガイド１４は、原稿挿入口２２が存在する領域よりも更に上流方向に延在して原稿手差しテーブル２４を規定する。下ガイド１４にはシャッタ板部材４０が配設されている。シャッタ板部材４０は、原稿手差しテーブル２４の上面よりも上方に突出して上端が上ガイド１６ａに対し隙間をおいて位置する作用位置と、原稿手差しテーブル２４の上面から実質的に突出しない非作用位置との間を、ソレノイド４２によって選択的に昇降させられる。【選択図】  図１
2005060075.tif 000002
【特許請求の範囲】
【請求項１】
水平方向に延在する下ガイドを含む原稿搬送路と、原稿搬送路に配設された原稿搬送ローラ対と、原稿搬送路に原稿を挿入するための原稿挿入口とを備え、原稿挿入口は、下ガイドと、下ガイドに対し上方に隙間をおいて対向するよう配設された上ガイドとからなり、下ガイドは、原稿挿入口が存在する領域よりも更に上流方向に延在して原稿手差しテーブルを規定する、画像形成装置において、
下ガイドの、原稿挿入口が存在する領域にはシャッタが配設され、シャッタは、原稿手差しテーブルの上面よりも上方に突出して上端が上ガイドに対し隙間をおいて位置する作用位置と、原稿手差しテーブルの上面から実質的に突出しない非作用位置との間を、駆動手段によって選択的に昇降させられる、
ことを特徴とする画像形成装置。
【請求項２】
原稿搬送路における、原稿搬送ローラ対の直上流位置であって原稿挿入口が存在する領域よりも下流位置には、原稿検知手段が配設され、
原稿挿入口から挿入された原稿の先端部を原稿検知手段が検知した後、シャッタは、駆動手段によって、非作用位置から作用位置に上昇させられる、請求項1記載の画像形成装置。
【請求項３】
シャッタは、下ガイドにおける、原稿搬送方向に直交する水平幅方向に間隔をおいて延在する複数個のシャッタ板部材を備えている、又は、該水平幅方向に延在する1個のシャッタ板部材を備えている、請求項1又は請求項２記載の画像形成装置。
【請求項４】
シャッタ板部材の上端の横断面形状は曲面をなしている、請求項３記載の画像形成装置。
【請求項５】
シャッタは、下ガイドにおける、原稿搬送方向に直交する水平幅方向に間隔をおいて延在する複数個のローラ部材を備えている、又は、該水平幅方向に延在する1個のローラ部材を備えている、請求項1又は請求項２記載の画像形成装置。
【請求項６】
原稿手差しテーブルの上流端領域には、筒状に巻かれた原稿を戴置するための原稿戴置凹部が、原稿搬送方向に直交する水平幅方向に延在するよう配設されている、請求項１〜５のいずれか1項に記載の画像形成装置。
【請求項７】
原稿手差しテーブルを規定する下ガイドの上面は、原稿搬送路の下ガイドの上面よりも高く形成されている、請求項１〜６のいずれか1項に記載の画像形成装置。
【発明の詳細な説明】
【技術分野】
【０００１】
本発明は、例えば、ＪＩＳのＡ０サイズのような大サイズの原稿の他、特に搬送方向の長さが非常に長い原稿（例えば設計図など）、いわゆる長尺原稿を手差しにより給紙することにより複写することができる静電複写機などの画像形成装置に関する。
【背景技術】
【０００２】
上記形態の画像形成装置は、水平方向に延在する下ガイド及び下ガイドに対し上方に隙間をおいて対向するよう配設された上ガイドを含む原稿搬送路と、原稿搬送路に配設された原稿搬送ローラ対と、原稿搬送路に原稿を挿入するための原稿挿入口とを備えている。原稿挿入口は、上記下ガイドと、上ガイドの上流端領域とから構成される。下ガイドは、原稿挿入口領域よりも更に上流方向に延在して原稿手差しテーブルを規定している。原稿搬送路の上方には、上ガイドユニットが配設され、上ガイドユニットの下面は上記上ガイドを規定する。原稿搬送路の直下方位置には、原稿搬送路を搬送される原稿の画像を読み取るためのコンタクトイメージセンサＣＩＳが配設されている。このコンタクトイメージセンサＣＩＳよりも更に下方における装置本体内には、給紙手段、画像形成手段、定着手段などが配設されている。
【０００３】
長尺原稿は、原稿手差しテーブルから原稿挿入口を介して原稿搬送路に挿入される。原稿搬送路に挿入された原稿は、原稿搬送ローラ対により原稿搬送路を搬送される間に、コンタクトイメージセンサＣＩＳにより画像が読み取られる。読み取られた画像信号は装置本体内の画像形成手段に送られて現像され、給紙手段により給紙された用紙に転写及び定着されることにより複写される。
【０００４】
上記したように、長尺原稿は、一般的にその先端領域が、原稿手差しテーブルから原稿挿入口を介して原稿搬送路に挿入されるが、その後端領域は、原稿手差しテーブルから垂れ下がって床に接する。この状態で原稿の搬送を含む画像形成動作を行うと、原稿の後端領域が床面上を引きずられるので、傷ついたり汚れたりするおそれがある。
【０００５】
このような問題を解決するため、原稿手差しテーブルに円弧状部を有する補助部材を離脱自在に装着し、長尺原稿を筒状に巻いて補助部材に保持した状態で給紙するよう構成された画像形成装置が、本出願人である京セラミタ株式会社により提案され、すでに出願・公開されている（特許文献１参照）。上記補助部材は、原稿手差しテーブルのほぼ全幅にわたって延在するよう装着される。このような画像形成装置においては、特に幅の広い長尺原稿を筒状に巻いて補助部材の円弧状部に収納する動作が比較的困難である。また、補助部材と原稿挿入口との間の距離が離れている場合、補助部材を離れた原稿の後端領域がカールしていると、カールした後端が先に原稿挿入口に進入して原稿が折れる、損傷する、画像の読み取りが不良となる、などの不具合が発生するおそれがある。
【０００６】
図５には、カールした原稿Ｐの後端が先に原稿挿入口５に進入する様子が模式的に示されている。図５において、符号Ｐは原稿、符号２は下ガイド、符号３は、下ガイド２を含む原稿搬送路、符号４は原稿搬送ローラ対、符号ＳＷは用紙検知スイッチを示している。符号５は原稿挿入口を示し、原稿挿入口５は、下ガイド２と、下ガイド２に対し上方に隙間をおいて対向するよう配設された上ガイド６の上流端領域とからなる。符号７は原稿手差しテーブルを示している。原稿Ｐの後端が、図示のようにカールした状態で、原稿挿入口５から原稿搬送路３内に先行して進入させられ、更には原稿搬送ローラ対４にニップされると、原稿の後端部が折れたり、損傷したり、画像の読み取りが不良となったりする可能性が高いことが容易に理解できる。
【０００７】
他方、手差し給紙部にロール紙収納ケースを配設し、ロール紙収納ケースと搬送ローラ対との間に手差し給紙台を備えた画像形成装置も公知である（特許文献２参照）。手差し給紙台の上面には、手差し給紙される原稿の幅に応じて、幅方向に移動可能なサイドガイドが設けられている。左右のサイドガイドは開口部が互いに向き合ったコ字状の断面に形成され、原稿の側端縁と上下面とをガイドしている。このようなサイドガイドの存在により、原稿の後端部におけるカールを伸ばすことが可能であるが、幅の広い原稿に対応するためには、手差し給紙部の幅方向のほぼ全域にわたって延在する大きなロール紙収納ケース、手差し給紙台及びサイドガイドを必要とし、装置が大型化すると共にコストが大幅にアップする。
【０００８】
【特許文献１】特開２００２−３６２７８６号公報
【特許文献２】特開平５−１５５４７７号公報
【発明の開示】
【発明が解決しようとする課題】
【０００９】
本発明の目的は、幅が広く長尺な原稿であっても、後端部が折れたり損傷したり、画像の読み取りが不良となったりすることなく確実に搬送されることを可能にし、しかも、上記従来装置よりも構成がコンパクトで低コストで製造することができる、新規な画像形成装置を提供することである。
【課題を解決するための手段】
【００１０】
本発明によれば、水平方向に延在する下ガイドを含む原稿搬送路と、原稿搬送路に配設された原稿搬送ローラ対と、原稿搬送路に原稿を挿入するための原稿挿入口とを備え、原稿挿入口は、下ガイドと、下ガイドに対し上方に隙間をおいて対向するよう配設された上ガイドとからなり、下ガイドは、原稿挿入口が存在する領域よりも更に上流方向に延在して原稿手差しテーブルを規定する、画像形成装置において、
下ガイドの、原稿挿入口が存在する領域にはシャッタが配設され、シャッタは、原稿手差しテーブルの上面よりも上方に突出して上端が上ガイドに対し隙間をおいて位置する作用位置と、原稿手差しテーブルの上面から実質的に突出しない非作用位置との間を、駆動手段によって選択的に昇降させられる、
ことを特徴とする画像形成装置、が提供される。
原稿搬送路における、原稿搬送ローラ対の直上流位置であって原稿挿入口が存在する領域よりも下流位置には、原稿検知手段が配設され、原稿挿入口から挿入された原稿の先端部を原稿検知手段が検知した後、シャッタは、駆動手段によって、非作用位置から作用位置に上昇させられる、ことが好ましい。
シャッタは、下ガイドにおける、原稿搬送方向に直交する水平幅方向に間隔をおいて延在する複数個のシャッタ板部材を備えている、又は、該水平幅方向に延在する1個のシャッタ板部材を備えている、ことが好ましい。
シャッタ板部材の上端の横断面形状は曲面をなしている、ことが好ましい。
シャッタは、下ガイドにおける、原稿搬送方向に直交する水平幅方向に間隔をおいて延在する複数個のローラ部材を備えている、又は、該水平幅方向に延在する1個のローラ部材を備えている、ことが好ましい。
原稿手差しテーブルの上流端領域には、筒状に巻かれた原稿を戴置するための原稿戴置凹部が、原稿搬送方向に直交する水平幅方向に延在するよう配設されている、ことが好ましい。
原稿手差しテーブルを規定する下ガイドの上面は、原稿搬送路の下ガイドの上面よりも高く形成されている、ことが好ましい。
【発明を実施するための最良の形態】
【００１１】
以下、本発明に従って構成された画像形成装置の好適な実施の形態を添付図面を参照して詳細に説明する。
【００１２】
図１及び図２を参照して、本発明による画像形成装置は、画像形成装置本体１０を備えている。装置本体１０の上端には、原稿搬送路１２が配設されている。原稿搬送路１２は、水平方向に延在する下ガイド１４及び上ガイド１６を備えている。原稿搬送路１２における下ガイド１４の上方には、上ガイドユニット１７が配設され、上ガイドユニット１７の下面は、下ガイド１４の上方に隙間をおいて対向する上記上ガイド１６を規定する。原稿搬送路の直下方位置には、原稿搬送路を搬送される原稿の画像を読み取るためのコンタクトイメージセンサＣＩＳが配設されている。原稿搬送路１２における上流側には原稿搬送ローラ対１８が配設され、原稿搬送路１２における下流側には原稿排出ローラ対２０が配設されている。原稿搬送ローラ対１８は、下ガイド１４側に配設された駆動ローラ１８ａと、上ガイドユニット１７側に配設された従動ローラ１８ｂとから構成されている。従動ローラ１８ｂは駆動ローラ１８ａに対し上方から圧接されている。原稿排出ローラ対２０は、下ガイド１４側に配設された駆動ローラ２０ａと、上ガイドユニット１７側に配設された従動ローラ２０ｂとから構成されている。従動ローラ２０ｂは駆動ローラ２０ａに対し上方から圧接されている。
【００１３】
原稿搬送路１２の上流位置には、原稿搬送路１２に原稿Ｐを挿入するための原稿挿入口２２が配設されている。原稿挿入口２２は、下ガイド１４と、上ガイド１６の上流端領域１６ａとから構成されている。上ガイド１６の上流端領域１６ａは、上ガイドユニット１７の上流端から上流方向に上方に向って傾斜している。下ガイド１４は、原稿挿入口２２が存在する領域よりも更に上流方向に延在して原稿手差しテーブル２４を規定している。原稿手差しテーブル２４の上流端領域には、筒状に巻かれた原稿Ｐを戴置するための原稿戴置凹部２６が、原稿搬送方向に直交する水平幅方向に延在するよう配設されている。なお、原稿搬送方向とは、図１及び図２において右から左ヘ向う方向であり、原稿搬送方向に直交する水平幅方向とは、図１において紙面に垂直な方向、図２において上下方向である。原稿戴置凹部２６は、一定の原稿搬送方向幅をもって該水平幅方向に延在する水平底部と、水平底部の、原稿搬送方向下流側端から直立する下流側直立壁部と、水平底部の、原稿搬送方向上流側端から更に上流に向って上方に傾斜した上流側傾斜壁部とからなる。
【００１４】
原稿手差しテーブル２４を規定する下ガイド１４の上面、したがって原稿手差しテーブル２４の上面は、原稿搬送路１２の下ガイド１４の上面よりも高く形成されている。原稿手差しテーブル２４の上面と原稿搬送路１２の下ガイド１４の上面との境界には段差２８が形成されている。実施形態において、この段差２８は、原稿搬送路１２及び原稿手差しテーブル２４における水平幅方向、すなわち、原稿搬送方向に対し直交する水平幅方向の全域にわたって延在している。
【００１５】
原稿手差しテーブル２４には、一対のサイドガイド部材３０が、水平幅方向に間隔をおいて配設されている。サイドガイド部材３０の各々は、原稿の幅に対応して、水平幅方向に相互に接近及び離隔する方向に移動可能に配設され、かつその位置に保持されるよう配設されている。サイドガイド部材３０の各々は、原稿手差しテーブル２４の上流端領域から原稿挿入口２２が存在する領域にわたって原稿搬送方向に相互に平行に延在するよう配設され、原稿戴置凹部２６に戴置された、筒状に巻かれた原稿Ｐの幅方向両側位置をも規制することができる。なお、図２において、符号３２は、それぞれ、対応するサイドガイド部材３０の、上記幅方向への移動をガイドするガイド溝を示している。
【００１６】
原稿搬送路１２における、原稿搬送ローラ対１８の直上流位置であって原稿挿入口２２が存在する領域よりも下流位置には、原稿検知手段、実施形態においては原稿検知スイッチＳＷが配設されている。原稿検知スイッチＳＷは、原稿挿入口２２から挿入された原稿Ｐの先端部を検知することができる。
【００１７】
原稿搬送路１２における、原稿挿入口２２が存在する領域には、シャッタを構成する複数の、実施形態においては３個のシャッタ板部材４０が配設されている。シャッタ板部材４０の各々は、所定の原稿搬送方向の厚さと、所定の上下方向の長さ（高さ）と、所定の上記水平幅方向の幅とを有しており、相互に上記水平幅方向に間隔をおいて直線状に配列されている。実施形態において、シャッタ板部材４０の各々は、原稿搬送路１２の下ガイド１４における、原稿手差しテーブル２４との境界近傍に配設されている。シャッタ板部材４０の各々の上端の横断面形状は、原稿搬送方向に曲げられた曲面、実施形態においては円弧面をなしている。シャッタ板部材４０の各々は、相互に実質的に共通部品から形成され、原稿搬送方向から見て矩形状をなしている。シャッタ板部材４０の各々の下端部は、それぞれ、下ガイド１４の下方に配設された駆動手段、実施形態においてはソレノイド４２、更に具体的にはソレノイド４２の可動鉄心に固定支持されている。
【００１８】
シャッタ板部材４０の各々は、原稿手差しテーブル２４の上面よりも上方に突出して上端が上ガイド１６の上流端領域１６ａに対し隙間をおいて位置する作用位置（図１及び図３において実線で示す位置）と、原稿手差しテーブル２４の上面から実質的に突出しない非作用位置（図３において２点鎖線で示す位置）との間を、ソレノイド４２によって選択的に昇降させられる。上記したように、シャッタ板部材４０の各々の上端の横断面形状は円弧面をなしているので、非作用位置に位置付けられた状態で、上端が原稿手差しテーブル２４の上面からわずかに突出しても、原稿Ｐの挿入に支障がない程度であれば実用上は問題ない。原稿手差しテーブル２４の上面から実質的に突出しない非作用位置とは、このような状態をも含むものである。なお、下ガイド１４の、シャッタ板部材４０の各々に対応する位置には、シャッタ板部材４０の各々の昇降を可能にする開口１５が形成されている。
【００１９】
装置本体１０には、図示しないコントローラが配設されている。コントローラはマイクロコンピュータから構成され、制御プログラムに従って演算処理する中央処理手段（ＣＰＵ）、制御プログラムを格納するＲＯＭと図示しない操作部によって入力される各種データを格納するＲＡＭとを有する記憶手段、入出力インターフェース、タイマ、カウンタなどを備えている。コントローラの入力インターフェースには、上記原稿検知スイッチＳＷ、その他のセンサ、スイッチなどからの検出信号が入力され、出力インターフェースからソレノイド４２、原稿搬送ローラ対１８及び原稿排出ローラ対２０の駆動手段である図示しない電動モータなどに制御信号を出力する。
【００２０】
装置本体１０には、また、それぞれ図示しない、感光体ドラム、メインチャージャ、ＬＥＤプリントヘッド、現像装置、クリーニング装置などを含む画像形成手段、転写手段、定着手段、給紙ローラを含む給紙手段、カッタなどが配設されている。これらの構成は周知の構成でよく、また本発明の特徴をなすものではないので、説明は省略する。
【００２１】
上記画像形成装置において、長尺の原稿Ｐを複写する場合には、原稿Ｐを筒状に巻いて、原稿手差しテーブル２４の原稿戴置凹部２６に嵌合・戴置し、サイドガイド部材３０により幅方向の位置を規制する。続いて原稿Ｐの先端部を原稿手差しテーブル２４に沿って移動させて原稿挿入口２２から原稿搬送ローラ対１８のニップ部に向けて挿入する。このとき、シャッタ板部材４０の各々は、非作用位置に位置付けられているので、原稿Ｐの上記挿入動作を妨げることはない。シャッタ板部材４０の各々の上端が円弧面に形成されていることは、原稿Ｐの上記挿入動作を円滑にする。また、原稿手差しテーブル２４を規定する下ガイド１４の上面は、原稿搬送路１２の下ガイド１４の上面よりも高く形成されているので、原稿Ｐの上記挿入が容易となる。
【００２２】
原稿検知スイッチＳＷが原稿Ｐの先端部を検知してから所定時間経過後、コントローラは、原稿搬送ローラ対１８及び原稿排出ローラ対２０の電動モータを駆動すると同時に、又は電動モータを駆動してから所定時間経過後に、ソレノイド４２の各々を駆動して、シャッタ板部材４０の各々を非作用位置から、作用位置まで上昇させて位置付ける。原稿搬送ローラ対１８及び原稿排出ローラ対２０の回転駆動により原稿Ｐの搬送が開始され、コンタクトイメージセンサＣＩＳによる原稿Ｐの画像読取が開始される。読み取られた画像信号を受けて、装置本体１０においては、画像形成手段により周知のとおり露光、現像が行われ、給紙手段により搬送された用紙にトナー像が転写され、転写されたトナー像は定着手段により定着される。トナー像が定着された用紙は、装置本体１０の正面に配設された図示しないポケットに排出、収容される。
【００２３】
原稿Ｐは、原稿搬送ローラ対１８及び原稿排出ローラ対２０により原稿搬送路１２に沿って図１において右から左へ搬送される。筒状に巻かれた原稿Ｐは、原稿手差しテーブル２４の原稿戴置凹部２６に嵌合・戴置された状態で回転させられながら徐々に巻き出されてゆくが、原稿戴置凹部２６は筒状に巻かれた原稿Ｐが搬送方向に転動するのを防止して保持するストッパ及び保持部として機能する。原稿Ｐは、シャッタ板部材４０の各々の上端と、上ガイド１６の上流端領域１６ａの下面との間の隙間を通って搬送されるが、シャッタ板部材４０の各々の上端の横断面形状は曲面、実施形態においては円弧面をなしているので、原稿Ｐが傷付けられることはなく、その円滑な移動が保証される。
【００２４】
原稿Ｐの搬送動作の最終段階において、原稿Ｐの後端領域がカールした状態で原稿挿入口２２に引きずり込まれる場合がある。しかしながら、本発明においては、シャッタ板部材４０の各々が、原稿手差しテーブル２４の上面よりも上方に突出して上端が上ガイド１６の上流端領域１６ａの下面に対し隙間をおいて位置する作用位置に位置付けられているので、カールした原稿Ｐの後端がシャッタ板部材４０の各々の鉛直面（上流方向に面した鉛直面）に当接させられて進入を阻止される。その結果、カールした原稿Ｐの後端がカール部よりも先に搬送されて原稿搬送ローラ対１８にニップされることが防止され、原稿Ｐは、その後端が、シャッタ板部材４０の各々の上端と上ガイド１６の上流端領域１６ａの下面との間の隙間を最後に通過するように搬送される。したがって、本発明によれば、幅が広く長尺な原稿Ｐであっても、原稿Ｐの後端部が折れたり、損傷したり、画像の読み取りが不良となったりすることなく確実に搬送することを可能にする。更には、先に述べた従来装置におけるような、大きなロール紙収納ケース、手差し給紙台及びサイドガイドなどを必要としないので、構成がコンパクトで低コストで製造することができる。
【００２５】
本発明の上記実施形態において、シャッタ板部材４０の各々は、下ガイド１４における、原稿搬送方向に直交する水平幅方向に間隔をおいて延在するよう配設され、それぞれがソレノイド４２により昇降させるよう構成されているが、シャッタ板部材４０の各々の下端部を、該水平幅方向に延在する１個の共通のベース部材により一体に連結し、１個又は複数のソレノイド４２により全体を同時に昇降させるよう構成する他の実施形態も可能である。また、複数のシャッタ板部材４０を使用することに代えて、該水平幅方向に延在する１個のシャッタ板部材４０を使用し、このシャッタ板部材４０を１個又は複数のソレノイド４２により昇降させるよう構成する他の実施形態も可能である。更にはまた、１個又は複数のシャッタ板部材４０の駆動手段（アクチュエータ）として、ソレノイド４２に限定される理由はなく、他の駆動手段、例えば、電動モータ、流体圧シリンダ機構であってもよい。駆動手段とシャッタ板部材４０との間には、クラッチあるいはカム機構などを介在させることもある。
【００２６】
更にはまた、シャッタ板部材４０に代えて、ローラ部材５０を使用する更に他の実施形態もある（図４参照）。すなわち、シャッタは、下ガイド１４における、原稿搬送方向に直交する水平幅方向に間隔をおいて延在する複数個のローラ部材５０を備えているか、又は、該水平幅方向に延在する1個のローラ部材５０を備えていることになる。ローラ部材５０の使用形態は、上記シャッタ板部材４０の上記使用形態と実質的に同じであるので説明は省略する。なお、図４において、ローラ部材５０の各々は、軸の両端部が支持板に回動自在に支持されるか又は両端部が支持板に固定された軸に回動自在に支持され、支持板の各々は、支持板の各々の下端間を連結するベース板を介して、ソレノイド４２の可動鉄心に固定支持されている。このようにシャッタとして、１個又は複数のローラ部材５０を使用する実施形態においても、１個又は複数のシャッタ板部材４０を使用する実施形態におけるのと実質的に同じ作用効果（原稿Ｐの円滑な搬送及びカールした後端の先行進入阻止）を得ることができる。また本発明は、画像形成装置としているが、画像読取装置にも適用可能であることはいうまでもない。
【図面の簡単な説明】
【００２７】
【図１】本発明に従って構成された画像形成装置の好適実施形態の要部の構成を概略的に示す断面図。
【図２】図1に示す下ガイドの平面概略図であって、一部を省略して示す平面概略図。
【図３】図1に示す画像形成装置の一部を示す断面図であって、他の作動態様を示す断面図。
【図４】本発明の他の実施形態の要部を示す断面図であって、図３に対応する断面図。
【図５】従来の画像形成装置の一部を示す断面図であって、カールした原稿の後端が先に原稿挿入口に進入する様子を模式的に示す断面図。
【符号の説明】
【００２８】
１０：画像形成装置本体
１２：原稿搬送路
１４：下ガイド
１６：上ガイド
１６ａ：上ガイドの上流端領域
１７：上ガイドユニット
１８：原稿搬送ローラ対
２２：原稿挿入口
２４：原稿手差しテーブル
２６：原稿戴置凹部
４０：シャッタ板部材
４２：ソレノイド
Ｐ：原稿
ＳＷ：原稿検知スイッチ
【図１】
2005060075.tif 000003
【図２】
2005060075.tif 000004
【図３】
2005060075.tif 000005
【図４】
2005060075.tif 000006
【図５】
2005060075.tif 000007